(57)【要約】【課題】携帯に便な平面型カードリーダ。【解決手段】第１のインターフェイス２１、インターフェイスコントローラ２２、メモリスロット２３及びカードリーダコントローラ２４を備える。第１のインターフェイス２１は外部に露出するフレキシブルな複数の接触端子２１１を有し、コンピュータ５０に電気的に接続される。インターフェイスコントローラ２２は第１のインターフェイス２１に電気的に接続され、第１のインターフェイス２１の信号の転換及び処理を行なう。メモリスロット２３はメモリカードの挿入に使用される。カードリーダコントローラ２４はインターフェイスコントローラ２２及びメモリスロット２３にそれぞれ接続されてメモリ内のデータを受取り、コンピュータ５０とデータ授受を行い、メモリ内に保存する。【選択図】図１
2007172613.tif 000002
【特許請求の範囲】
【請求項１】
カバー、第１のインターフェイス、インターフェイスコントローラ、メモリスロットおよびカードリーダコントローラからなる平面型カードリーダであって、
前記カバーは以下の各デバイスを収納し、
前記第１のインターフェイスは、フレキシブルに接続されて外部に露出して、コンピュータに電気的に接続可能な複数の接触端子を備え、
前記インターフェイスコントローラは、前記第１のインターフェイスに電気的に接続されて、前記第１のインターフェイスの信号の転換および処理を行ない、
前記メモリスロットは、メモリカードを挿入接続し、
前記カードリーダコントローラは、前記インターフェイスコントローラおよび前記メモリスロットにそれぞれ電気的に接続されて、スロットに挿入されたメモリ内のデータを読み取り、前記コンピュータとデータの授受を行うと共にメモリ内への保存を行なう、
ことを特徴とする平面型カードリーダ。
【請求項２】
前記第１のインターフェイスは、I-Stickインターフェイスで、ＵＳＢインターフェイスに接続されることを特徴とする請求項１に記載の平面型カードリーダ。
【請求項３】
前記インターフェイスコントローラ、前記メモリスロットおよび前記カードリーダコントローラをフレキシブルプリント基板上に搭載し、
前記第１のインターフェイスとの電気的接続を、前記フレキシブルプリント基板の延長構造上に形成された配線により形成したことを特徴とする請求項２に記載の平面型カードリーダ。
【請求項４】
第２のインターフェイス、第２のインターフェイスコントローラおよびメモリをさらに備え、前記第２のインターフェイスおよび前記メモリはそれぞれ前記第２のインターフェイスコントローラに電気的に接続され、前記第２のインターフェイスの一方の端部は外部に露出する複数の接触端子を設けて、ＰＤＡ、デジタルカメラまたは携帯可能な映像再生器などの電子機器との接続を可能とし、かつ前記第２のインターフェイスは一般に市販される各種のメモリカード対応のインターフェイスであって、前記第２のインターフェイスコントローラは前記第２のインターフェイスに対応するコントローラであることを特徴とする請求項３に記載の平面型カードリーダ。
【請求項５】
表示装置および起動回路をさらに備え、前記カードリーダコントローラに電気的に接続され、関係する信号を表示し、前記表示装置はＳＴＮＬＣＤ、ＴＦＴＬＣＤまたはＯＬＥＤであることを特徴とする請求項１に記載の平面型カードリーダ。
【請求項６】
さらに前記カードリーダコントローラに電気的に接続された受信装置を備え、無線方式により外界のデータを受信し、前記受信装置は赤外線伝送モジュールまたは無線伝送モジュールであることを特徴とする請求項１に記載の平面型カードリーダ。
【請求項７】
ソーラーエネルギー充電装置をさらに備え、前記カードリーダコントローラの外側に配置され、前記インターフェイスコントローラ、前記メモリスロットおよび前記カードリーダコントローラに電気的に接続され、太陽光を集光し電気エネルギに転換して前記インターフェイスコントローラ、前記メモリスロットおよび前記カードリーダコントローラに供給することを特徴とする請求項１に記載の平面型カードリーダ。
【請求項８】
前記ソーラーエネルギー充電装置はソーラーエネルギーパネルおよび蓄電装置をさらに備え、前記ソーラーエネルギーパネルは太陽光を集光し電気エネルギに転換し、前記蓄電装置は電気エネルギを貯蔵することを特徴とする請求項７に記載の平面型カードリーダ。
【請求項９】
磁気記録帯をさらに備え、前記カードリーダコントローラの外側に配置され、前記カードリーダの使用記録を行うことを特徴とする請求項１に記載の平面型カードリーダ。
【請求項１０】
扁平なカード状の外観を呈し、一般のクレジットカードのサイズを有することを特徴とする請求項１に記載の平面型カードリーダ。
【請求項１１】
扁平なカード状の外観を呈し、一般のクレジットカードのサイズを有することを特徴とする請求項４に記載の平面型カードリーダ。
【請求項１２】
前記カバーは、カバー上部とカバー下部により構成され、前記第１のインターフェイス、前記インターフェイスコントローラ、前記メモリスロットおよび前記カードリーダコントローラを内部に収容して一体に組立、または一体に成形されることを特徴とする請求項１に記載の平面型カードリーダ。
【発明の詳細な説明】
【技術分野】
【０００１】
本発明は、平面型カードリーダに関し、特に厚さが薄いインターフェイスコネクタを有し、クレジットカード並の厚さおよび外形を有する平面型カードリーダに関する。
【背景技術】
【０００２】
現在、市販されているフラッシュメモリに使用されるカードリーダは、特定のメモリカードにメモリスロットのみを提供しているものが大部分である。インターフェイスコネクタの厚さ、またはインターフェイスコネクタとカードリーダとの間に配置されるコードの影響で、ユーザの携帯時における不便さ、カードリーダの薄型化の困難さなどの欠点があった。
【０００３】
特許文献１に記載された発明のメモリー装置は、カバー、プリント基板、ＵＳＢコントローラ、メモリーチップ、ＵＳＢコネクタおよびコードを備える。この発明の目的は、平面の外形を有するカードリーダを提供することにあるが、使用されるＵＳＢコネクタが一般のものであり、一定の厚さを有するため、メモリー装置の厚さを薄くすることができなかった。また、ＵＳＢコネクタとＵＳＢコントローラとの間は、コードにより接続されるため、ユーザにとって携帯不便であり、完璧なものではなかった。
【特許文献１】欧州特許第ＮＬ１０２２２７７Ｃ号明細書
【特許文献２】登録実用新案第３１２５８８１号公報
【発明の開示】
【発明が解決しようとする課題】
【０００４】
本発明の第１の目的は、厚さが薄いインターフェイスコネクタを有し、カードリーダの厚さを薄くすることが可能な平面型カードリーダを提供することにある。
本発明の第２の目的は、厚さが薄いインターフェイスコネクタを有し、このインターフェイスコネクタがインターフェイスコントローラに電気的に接続されるため、コードを配置する必要がなく、ユーザの携帯に便利な平面型カードリーダを提供することにある。
本発明の第３の目的は、第２のインターフェイスコネクタにより、ユーザが平面型カードリーダをメモリカードとして携帯式装置に挿入し使用することができる平面型カードリーダを提供することにある。
【課題を解決するための手段】
【０００５】
上述の目的を達成するため、本発明は、平面型カードリーダを提供する。本発明の平面型カードリーダは、第１のインターフェイス、インターフェイスコントローラ、メモリスロットおよびカードリーダコントローラを備える。第１のインターフェイスは外部に露出する移動可能な複数の接触端子を有し、コンピュータに電気的に接続される。インターフェイスコントローラは第１のインターフェイスに電気的に接続され、第１のインターフェイスの信号の転換および処理を行なう。メモリスロットはメモリカードを挿入するのに使用される。カードリーダコントローラはインターフェイスコントローラおよびメモリスロットにそれぞれ電気的に接続され、メモリ内のデータを受取り、コンピュータに送信したり、コンピュータのデータを受取り、メモリ内に保存したりする。第１のインターフェイスはI-Stickインターフェイスで、ＵＳＢインターフェイスに接続される。
【０００６】
本発明の平面型カードリーダはインターフェイスコントローラ、メモリスロットおよびカードリーダコントローラを搭載するプリント基板をさらに備える。コードにより第１のインターフェイスに電気的に接続され、プリント基板は軟質のプリント基板で、コードは軟質のプリント基板上に配置される。
【０００７】
本発明の平面型カードリーダは、第２のインターフェイス、第２のインターフェイスコントローラおよびメモリをさらに備える。第２のインターフェイスおよびメモリはそれぞれ第２のインターフェイスコントローラに電気的に接続され、第２のインターフェイスの一方の端部は外部に露出する複数の接触端子を有し、電子機器に挿入される。電子機器とは、ＰＤＡ、デジタルカメラまたは携帯可能な映像再生器である。第２のインターフェイスは、市販のメモリカード用のインターフェイスである。第２のインターフェイスコントローラは第２のインターフェイスに対応するコントローラである。
【０００８】
本発明の平面型カードリーダは表示装置および起動回路をさらに備える。カードリーダコントローラに電気的に接続され、関係する信号を表示する。表示装置はＳＴＮＬＣＤ、ＴＦＴＬＣＤまたはＯＬＥＤである。
【０００９】
本発明の平面型カードリーダは受信装置をさらに備える。カードリーダコントローラに電気的に接続され、無線方式により外界のデータを受信する。受信装置はブルートゥースモジュールまたは無線伝送モジュールである。
【００１０】
本発明の平面型カードリーダはソーラーエネルギー充電装置をさらに備える。カードリーダコントローラの外側に配置され、インターフェイスコントローラ、メモリスロットおよびカードリーダコントローラに電気的に接続される。太陽光を集光し電気エネルギに転換してインターフェイスコントローラ、メモリスロットおよびカードリーダコントローラに供給する。ソーラーエネルギー充電装置はソーラーエネルギーパネルおよび蓄電装置をさらに備え、ソーラーエネルギーパネルは太陽光を集光し電気エネルギに転換する。蓄電装置は電気エネルギを貯蔵するのに使用される。
【００１１】
本発明の平面型カードリーダは磁気記録帯をさらに備える。カードリーダコントローラの外側に配置され、カードリーダの使用記録を残すのに使用される。
【００１２】
本発明の平面型カードリーダは扁平なカード状の外観を呈し、一般のクレジットカードのサイズを有する。
【００１３】
カバーはカバー上部とカバー下部により組み立てられる方法、または一体成形の方法により、第１のインターフェイス、インターフェイスコントローラ、メモリスロットおよびカードリーダコントローラを内部に包み込む。
【発明の効果】
【００１４】
本発明の平面型カードリーダは、I-Stickインターフェイスの使用により、インターフェイスコネクタの厚さを薄くすることが可能になった。また、プリント基板上の配線およびコードが第１のインターフェイスに電気的に接続されることにより、従来のカードリーダが使用したコードを配置する必要がなく、ユーザにとって、携帯が便利になった。
【発明を実施するための最良の形態】
【００１５】
以下、本発明の実施形態を図面に基づいて説明する。図１は、本発明による平面型カードリーダの斜視図である。図１に示すように、本発明の平面型カードリーダ１は、カバー１０、プリント基板２０、第１のインターフェイス２１、インターフェイスコントローラ２２、メモリスロット２３およびカードリーダコントローラ２４からなる。
【００１６】
図１に示すように、カバー１０は、上部カバー１１と下部カバー１２により組み立てられ、または一体成形であって（図示せず）第１のインターフェイス２１、インターフェイスコントローラ２２、メモリスロット２３およびカードリーダコントローラ２４を内部に収容する。本実施形態は、上部カバー１１と下部カバー１２により組み立てられる方法を例として説明を行なうが、決して本発明の範囲を限定するものではない。また、平面型カードリーダ１はカバー１０が扁平なカード状の外観を呈し、一般のクレジットカードのサイズを有する。
【００１７】
プリント基板２０は、図３に示すようにインターフェイスコントローラ２２、メモリスロット２３およびカードリーダコントローラ２４を搭載し、コード２０１により第１のインターフェイス２１に電気的に接続される。プリント基板２０は、平面型カードリーダ１の厚さを薄くするため、軟質のプリント基板に限定されない。コード２０１は他の構造に変更してもよく、軟質のプリント基板上に配置されるとは限らない。
【００１８】
第１のインターフェイス２１は、I-Stickインターフェイスで、厚さは薄く、一般のＵＳＢインターフェイスにも接続できる。第１のインターフェイス２１は、カードリーダのプリント基板２０の一方の端部より延長して外部に露出する複数の接触端子２１１を有し、コンピュータ５０のＵＳＢポートに電気的に接続される。
【００１９】
インターフェイスコントローラ２２は、ＵＳＢインターフェイスコントローラで、プリント基板２０上の配線（図示せず）およびコード２０１により第１のインターフェイス２１に電気的に接続され、第１のインターフェイス２１の信号の転換および処理を行なう。本発明の第１のインターフェイス２１は厚さが薄く、標準的ではないが、ＵＳＢ接続装置のインターフェイスに使用できる。第１のインターフェイス２１はI-Stickインターフェイスであるが、本出願人である勁永国際股▲ふん▼有限公司のI-Stickインターフェイスに限定されるものではない。I-Stickインターフェイスの使用により、インターフェイスコネクタの厚さを薄くする以外に、プリント基板２０上の配線およびコード２０１より第１のインターフェイス２１に電気的に接続されることにより、従来のカードリーダが使用するコードを配置する必要がなく、ユーザにとって、携帯が便利になった。
【００２０】
メモリスロット２３は、メモリカードを挿入するのに使用される。メモリスロット２３は、各種市販品のメモリカードが使用可能なもので、従来技術に属する。
【００２１】
カードリーダコントローラ２４は、インターフェイスコントローラ２２およびメモリスロット２３にそれぞれ電気的に接続され、メモリ内のデータを受取り、コンピュータ５０に送信して処理を行なう。また、コンピュータ５０のデータを受取り、メモリ内に保存することも可能である。
【００２２】
図２は本発明の一実施形態による平面型カードリーダの使用形態を示す斜視図である。図１に示すように、平面型カードリーダ１を組み立てる場合、まずプリント基板２０上に適当な配線を行ない、次に第１のインターフェイス２１、インターフェイスコントローラ２２、メモリスロット２３およびカードリーダコントローラ２４をプリント基板２０上に固定する。カバー１０でプリント基板２０を覆い包み、第１のインターフェイス２１およびメモリスロット２３をカバー１０から外へ露出させて、平面型カードリーダの組立が完了する。組立完了後、メモリカード（図示せず）をメモリスロット２３内に挿入し、第１のインターフェイス２１をコンピュータ５０のＵＳＢポートコネクタ（図示せず）に挿入する。これにより、コンピュータ５０はメモリカードの保存が可能になる。本発明のカバー１０はI-Stickインターフェイスを使用するため、インターフェイスコネクタの厚さを薄くする以外に、プリント基板２０上の配線およびコード２０１が第１のインターフェイス２１に電気的に接続されることにより、従来のカードリーダに使用されるコードを配置する必要がなく、ユーザにとって、携帯が便利になった。
【００２３】
図３は本発明の他の一実施形態における平面型カードリーダである。図３に示すように、平面型カードリーダ１は、第２のインターフェイス２５、第２のインターフェイスコントローラ２６およびメモリ２７をさらに含む。第２のインターフェイス２５およびメモリ２７はそれぞれ第２のインターフェイスコントローラ２６に電気的に接続される。第２のインターフェイス２５の一方の端部は外部に露出する複数の接触端子２５１を有し、電子機器に挿入される。ここでいう電子機器とは、ＰＤＡ、デジタルカメラまたは携帯可能な映像再生器などである。
【００２４】
第２のインターフェイス２５は、一般に市販される各種のメモリカード対応のインターフェイスである。第２のインターフェイスコントローラ２６は第２のインターフェイス２５に対応するコントローラで、メモリ２７はフラッシュメモリである。これにより、本発明の平面型カードリーダ１は、一般に市販される各種の規格のメモリカードが使用できるようになった。
【００２５】
図４は、本発明の一実施形態による表示装置２８およびその起動回路２９をさらに含む平面型カードリーダである。図４に示すように、平面型カードリーダ１は、表示装置２８およびその起動回路２９をさらに含む。表示装置２８は、カバー１０の外側に配置され、配線（図示せず）によりカードリーダコントローラ２４に電気的に接続され、関係する信号を表示する。起動回路２９は、表示装置２８に電気的に接続され、表示装置２８を起動させる。表示装置２８は、ＳＴＮＬＣＤ、ＴＦＴＬＣＤまたはＯＬＥＤなどでよいが特にこれらの表示装置に限定されない。
【００２６】
図５は、本発明の一実施形態による受信装置３０をさらに含む平面型カードリーダの斜視図である。図５に示すように、平面型カードリーダ１は、受信装置３０をさらに含むが、その対象はブルートゥースモジュールまたは無線伝送モジュールに限定されない。受信装置３０は、カードリーダコントローラ２４に電気的に接続され、本発明の平面型カードリーダ１を無線方式により外界のデータを受信することを可能にした。
【００２７】
図６は、本発明の一実施形態による太陽光充電装置３１をさらに含む平面型カードリーダである。図６に示すように、平面型カードリーダ１は、太陽光充電装置３１をさらに含む。太陽光充電装置３１は、カバー１０の外側に配置され、配線によりインターフェイスコントローラ２２、メモリスロット２３、カードリーダコントローラ２４、第２のインターフェイス２５、第２のインターフェイスコントローラ２６，メモリ２７、表示装置２８、起動回路２９および受信装置３０に電気的に接続され、太陽光を集光し電気エネルギに転換して上記のデバイスに供給する。
【００２８】
太陽光充電装置３１は、太陽光パネル３１１および蓄電装置３１２からなる。太陽光パネル３１１は、カバー１０の外側に配置され、太陽光を集光し電気エネルギに転換して蓄電装置３１２内に蓄電する。
【００２９】
図７は、本発明の一実施形態による磁気記録帯３２をさらに含む平面型カードリーダの斜視図である。図７に示すように、平面型カードリーダ１は磁気記録帯３２をさらに含む。磁気記録帯３２はカバー１０の外側に配置され、平面型カードリーダ１の使用記録を残すのに使用される。
【００３０】
本発明の一実施形態による平面型カードリーダ１は、I-Stickインターフェイスを使用するため、インターフェイスコネクタの厚さを薄くする以外に、プリント基板２０上の配線およびコード２０１が第１のインターフェイス２１に電気的に接続されることにより、従来のカードリーダに使用されるコードを配置する必要がなく、ユーザにとって、携帯が便利になった。
【００３１】
本発明では好適な実施形態を前述の通りに開示したが、これらは決して本発明を限定するものではなく、当該技術を熟知する者は誰でも、本発明の精神と領域を脱しない範囲内で各種の変更や修正を加えることができる。従って、本発明の保護の範囲は、特許請求の範囲で指定した内容を基準とする。
【図面の簡単な説明】
【００３２】
【図１】本発明の一実施形態による平面型カードリーダの斜視図である。
【図２】本発明の一実施形態による平面型カードリーダの斜視図である。
【図３】本発明の一実施形態による第２のインターフェイス、第２のインターフェイスコントローラおよびメモリをさらに含む平面型カードリーダの斜視図である。
【図４】本発明の一実施形態による表示装置および起動回路をさらに含む平面型カードリーダの斜視図である。
【図５】本発明の一実施形態による受信装置をさらに含む平面型カードリーダの斜視図である。
【図６】本発明の一実施形態による太陽光充電装置をさらに含む平面型カードリーダの斜視図である。
【図７】本発明の一実施形態による磁気記録帯をさらに含む平面型カードリーダの斜視図である。
【符号の説明】
【００３３】
１  平面型カードリーダ
１０  カバー
１１  上部カバー
１２  下部カバー
２０  プリント基板
２０１  コード
２１１  接触端子
２１  第１のインターフェイス
２２  インターフェイスコントローラ
２３  メモリスロット
２４  カードリーダコントローラ
２５  第２のインターフェイス
２５１  接触端子
２６  第２のインターフェイスコントローラ
２７  メモリ
２８  表示装置
２９  起動回路
３０  受信装置
３１  太陽光充電装置
３１１  太陽光パネル
３１２  蓄電装置
３２  磁気記録帯
５０  コンピュータ
【図１】
2007172613.tif 000003
【図２】
2007172613.tif 000004
【図３】
2007172613.tif 000005
【図４】
2007172613.tif 000006
【図５】
2007172613.tif 000007
【図６】
2007172613.tif 000008
【図７】
2007172613.tif 000009